(57)【要約】【課題】プリザーブドフラワーを透明容器に封入することなく十分な妙味があり、しかもプリザーブドフラワーの劣化を極力抑えることができ、更に衝撃からも保護することができる装飾品を提供する。【解決手段】プリザーブドフラワー１３の周囲を造花９が囲んだ状態となっており周囲からの直射日光を遮っており、しかも、花器部３、ベース部７がシート状の乾燥剤によって構成されているので、湿気が花器部３、ベース部７に吸収されるので、プリザーブドフラワー１３が吸湿するのを抑えることができ、変色等の劣化を防止すること可能である。プリザーブドフラワー１３が透明容器に封入されておらず露出しているので、装飾品としての妙味を十分に味わうことができる。【選択図】        図１
0003188523.tif 000002
【実用新案登録請求の範囲】
【請求項１】
上端開口を有する筒状の花器部と、前記花器部の外周部に設けられ少なくとも一部が前記上端開口の縁より上方へ突出する装飾部と、前記花器部の上端開口に着脱可能に差し込まれて前記上端開口から露出するプリザーブドフラワーとから成り、前記プリザーブドフラワーを上面開口に差し込んだ状態では、プリザーブドフラワーが前記装飾部によって囲まれた状態となることを特徴とする装飾品。
【請求項２】
請求項１に記載した装飾品において、花器部はシート状の乾燥剤によって構成されていることを特徴とする装飾品。
【請求項３】
請求項１または２に記載した装飾品において、装飾部は造花によって構成されていることを特徴とする装飾品。
【考案の詳細な説明】
【技術分野】
【０００１】
本考案は装飾品に係り、特にプリザーブドフラワーを有する装飾品に関するものである。
【背景技術】
【０００２】
プリザーブドフラワーは見た目は生花と殆ど変らず、しかも３年以上の長期間に渡って変色等の劣化を招くことなく楽しむことが可能であることから、広く親しまれるようになっている。プリザーブドフラワーの劣化を抑えるためには直射日光が当たらないようにし、且つ湿気を帯びないように乾燥された状態に保つことが必要である。また、プリザーブドフラワーは衝撃にも比較的弱いという性質もある。
【０００３】
特許文献１に記載されたプリザーブドフラワー装飾用容器は、透明容器にプリザーブドフラワーを収容し、この透明容器の下側に備えられた乾燥部に乾燥剤を備えるもので、透明容器と乾燥部とが孔を介して連通しており、透明容器内をプリザーブドフラワーの保存に適した状態に保ち劣化を防止し、更に衝撃からも保護しようとするものである。
【先行技術文献】
【特許文献】
【０００４】
【特許文献１】特開２００７−４４４５１号公報
【考案の概要】
【考案が解決しようとする課題】
【０００５】
しかしながら、上記従来のプリザーブドフラワー装飾用容器はプリザーブドフラワーを透明容器に封入してしまうので、装飾品としての妙味に欠けるという問題がある。
本考案は上記従来の問題点に着目して為されたものであり、プリザーブドフラワーを透明容器に封入することなく十分な妙味があり、しかもプリザーブドフラワーの劣化を極力抑えることができ、更に衝撃からも保護することができる装飾品の提供を、その目的とする。
【課題を解決するための手段】
【０００６】
本考案は上記課題を解決するためになされたものであり、請求項１の発明は、上端開口を有する筒状の花器部と、前記花器部の外周部に設けられ少なくとも一部が前記上端開口の縁より上方へ突出する装飾部と、前記花器部の上端開口に着脱可能に差し込まれて前記上端開口から露出するプリザーブドフラワーとから成り、前記プリザーブドフラワーを上面開口に差し込んだ状態では、プリザーブドフラワーが前記装飾部によって囲まれた状態となることを特徴とする装飾品である。
【０００７】
請求項２の発明は、請求項１に記載した装飾品において、花器部はシート状の乾燥剤によって構成されていることを特徴とする装飾品である。
【０００８】
請求項３の発明は、請求項１または２に記載した装飾品において、装飾部は造花によって構成されていることを特徴とする装飾品である。
【考案の効果】
【０００９】
本考案の装飾品によれば、プリザーブドフラワーを透明容器に封入していないので十分な妙味を味わうことができる。しかもプリザーブドフラワーの劣化を極力抑えることができ、更に衝撃からも保護することが可能である。
また、装飾の中心であるプリザーブドフラワーを別のプリザーブドフラワーに交換することが可能なので異なる趣のものとすることができ、飽きることなく楽しむことが可能である。
【図面の簡単な説明】
【００１０】
【図１】本考案の実施の形態に係る装飾品の斜視図である。
【図２】図１の装飾品の縦断面図である。
【図３】図１の装飾品の平面図である。
【図４】図１の装飾品の分解斜視図である。
【考案を実施するための形態】
【００１１】  本考案の実施の形態に係る装飾品１を図面にしたがって説明する。  符号３は花器部を示し、この花器部３は円筒状に形成されており、花器部３は上面開口５を有している。花器部３の下端には、その下面開口を閉鎖するように長方形のベース部７が固定されている。花器部３とベース部７はシート状の乾燥剤によって構成されている。このシート状の乾燥剤は不織布に乾燥性能を発揮するパルプと塩化カルシウムを担持させて形成したものであり、例えば（公序良俗違反につき、不掲載）製のものがある。
【００１２】
花器部３の外周部には装飾部としての複数の造花９が固定されており、造花９は上面開口５の全周の縁に沿って配置されている。造花９の一部は花器部３の上面開口５の縁より上方へ突出している。更に、花器部３の外周部には装飾用のリボン１１が巻かれて接着固定されている。またベース部７の上面にもリボン１１が接着固定されている。
【００１３】
符号１３はカーネーションのプリザーブドフラワーを示し、このプリザーブドフラワー１３は上面開口５に着脱自在に差し込まれている。プリザーブドフラワー１３を上面開口５に差し込んだ状態では、プリザーブドフラワー１３が造花９によって囲まれた状態となり、周囲からの直射日光を遮っている。更に、装飾品１を棚から落下させてしまうなどして衝撃が加わっても、造花９がクッションとなりプリザーブドフラワー１３を保護することができる。
【００１４】
また、花器部３とベース部７がシート状の乾燥剤によって構成されているので、湿気が花器部３とベース部７に吸収され、プリザーブドフラワー１３が吸湿するのを抑えることができ、変色等の劣化を防止すること可能である。
このように、装飾品１ではプリザーブドフラワー１３の劣化を極力抑えることができ、更に衝撃からも保護することが可能であり、しかも、プリザーブドフラワー１３が透明容器に封入されておらず露出しているので、装飾品としての妙味を十分に味わうことができる。
【００１５】
また、装飾品１では図４に示すようにプリザーブドフラワー１３をバラのプリザーブドフラワー１５に交換することができる。このように装飾の中心であるプリザーブドフラワーを交換することで、異なる趣のものとすることができ、飽きることなく楽しむことが可能である。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、花器部は円筒状に限定されず、角筒状であってもよい。また、ベース部を設けない構成とすることも可能である。
装飾部としては造花以外のものを使用することも可能である。
【産業上の利用可能性】
【００１７】
本考案の装飾品はプリザーブドフラワーを使用した装飾品の製造業に利用可能性を有する。
【符号の説明】
【００１８】
１…装飾品                        ３…花器部
５…上面開口                      ７…ベース部
９…造花                        １１…リボン
１３…カーネーションのプリザーブドフラワー
１５…バラのプリザーブドフラワー
【図１】
0003188523.tif 000003
【図２】
0003188523.tif 000004
【図３】
0003188523.tif 000005
【図４】
0003188523.tif 000006
【手続補正書】
【提出日】平成25年11月26日(2013.11.26)
【手続補正１】
【補正対象書類名】明細書
【補正対象項目名】００１１
【補正方法】変更
【補正の内容】
【００１１】
本考案の実施の形態に係る装飾品１を図面にしたがって説明する。
符号３は花器部を示し、この花器部３は円筒状に形成されており、花器部３は上面開口５を有している。花器部３の下端には、その下面開口を閉鎖するように長方形のベース部７が固定されている。花器部３とベース部７はシート状の乾燥剤によって構成されている。このシート状の乾燥剤は不織布に乾燥性能を発揮するパルプと塩化カルシウムを担持させて形成したものである。